(57)【要約】【課題】複数のシートを表示することができる表示シート及び表示装置を提供する。 【解決手段】表示装置１は、複数の表示シート２と、連結具であるホック３とから構成される。表示シート２は、シート４の両肩部から側方へ向けて、２つの連結片５が延設されてなる。連結片５の先端に穴５ａが形成されており、２つの連結片５を穴５ａの位置が合うように重ね合わせ、その穴５ａを通してホック３を留めることにより、他のシートと互いに回動自在に連結する。シート４を回動させて所望の連結形状に変形させることができる。また、ホック３が着脱自在であるので、シート４の数を増減させたり、シート４の位置を入れ替えたり、シート４の向きを上下逆に変更させたりすることができる。【選択図】図１
0003126973.tif 000002
【実用新案登録請求の範囲】
【請求項１】
シートの縁部に、他のシートと互いに回動自在に連結するための連結片が設けられたことを特徴とする表示シート。
【請求項２】
前記連結片に、連結具を留めるための穴が形成されたことを特徴とする請求項１に記載の表示シート。
【請求項３】
前記連結片は、シートと別部材とされたことを特徴とする請求項１又は２に記載の表示シート。
【請求項４】
前記連結片は、粘着部を有することを特徴とする請求項３記載の表示シート。
【請求項５】
シート表面に記入可能であることを特徴とする請求項１〜４のいずれかに記載の表示シート。
【請求項６】
シートが立体的に形成されたことを特徴とする請求項１〜５のいずれかに記載の表示シート。
【請求項７】
請求項２〜７のいずれかに記載の複数の表示シートの連結片の穴を重ね、該穴に連結具を留めることにより、互いに回動自在に連結されたことを特徴とする表示装置。
【請求項８】
前記連結具は、ホックであることを特徴とする請求項７記載の表示装置。
【考案の詳細な説明】
【技術分野】
【０００１】
この考案は、広告又は装飾のための表示シート及びそれを連結した表示装置に関し、さらに詳しくは、複数を連結可能な表示シート及び表示装置に関する。
【背景技術】
【０００２】
スーパー等の店内や、電車、バス等の車両内には、広告や装飾のための表示装置が設けられている。表示装置としては、床面設置式、吊り下げ式等の種々のものが知られている（例えば、特許文献１参照）
【特許文献１】特開平９−２６２１６５号公報
【考案の開示】
【考案が解決しようとする課題】
【０００３】
しかしながら、特許文献１の表示装置では、表示できる表示シートの数には限りがあるという問題がある。
【０００４】
そこで、本考案は上記に鑑み、複数を表示することができる表示シート及び表示装置を提供することを目的とするものである。
【課題を解決するための手段】
【０００５】
上記目的を達成するため、本考案は、シートの縁部に、他のシートと互いに回動自在に連結するための連結片が設けられたことを特徴とする表示シートである。連結片で所望の数のシートを連結し、表示することができる。また、シート同士を回動自在に連結するので、各シートの向きを変更自在とすることができ、より装飾効果が高まる。
【０００６】
シートは、広告機能又は装飾機能を有する。広告機能を有するシートとしては、「ＳＡＬＥ」、「２０％ＯＦＦ」、「大安売り」等の宣伝文句や商品名が記載されたシートが例示される。また、装飾機能を有するシートとしては、万国旗や、サッカーボール、バレーボール、野球ボール、バスケットボール又はテニスボール等のボールの絵が記載されたシート、ポストカード、写真等が例示される。また、シートの形状は、円形、三角形、四角形、雪の結晶形、音符形等が例示される。さらにまた、シートは、薄シート状に形成してもよいが、立体的に形成することができる。より装飾効果が高まる。なお、シートの種類や形は上記のものに限定されるものではない。
【０００７】
また、シートは、その表面に鉛筆、ペン等の筆記用具で記入可能とすることができる。例えば、宣伝文句を記入して使用したり、または、シートを色紙のようにして１枚ずつ複数人に渡し、記入されたシートを連結して飾ることができる。
【０００８】
シート同士を連結片で回動自在に連結する方法として、連結片に、連結具を留めるための穴を形成することができる。２以上の表示シートの連結片を穴が合致するように重ね合わせ、該穴を通して連結具を留めることにより、表示シートを互いに回動自在に連結することができる。
【０００９】
連結具としては、ホックを使用することができる。なお、ホック以外の他の連結具を代用可能であるが、着脱自在なものが好ましい。ホックは着脱自在であるので、連結する表示シートの数を増減させたり、表示シートの位置を入れ替えたり、表示シートの向きを上下逆に変更させたりすることができる。
【００１０】
また、連結片は、シートと一体的に形成してもよいが、シートと別部材とすることができる。連結片を別部材とすることにより、ポストカードや写真等の様々な身の回り品をシートとして使用でき、このシートに連結片を取り付けて表示シートにすることができる。そして、表示シート同士を連結片で連結して飾ることができる。連結片はその一部に粘着部を有し、シートに貼着して固定することができる。なお、シートへの固定手段は貼着に限定されるものではない。
【考案の効果】
【００１１】
本考案によると、連結片でシート同士を連結するので、所望の数のシートを連結して表示することができる。また、連結片は、シート同士を回動自在に連結するため、各シートの向きを変更自在とすることができ、より装飾効果が高まる。
【考案を実施するための最良の形態】
【００１２】
以下、本考案の実施形態を図面に基づいて説明する。
【００１３】
図１は本実施形態の表示装置の正面図、図２は図１の表示装置を変形させた状態を示す図、図３は表示シートの正面図、図４はホックの斜視図、図５は連結部分の要部拡大断面図、図６は他の実施形態の表示装置の正面図、図７は連結片の変形例を示す図である。
【００１４】
図１に示すように、表示装置１は、複数の表示シート２と、連結具であるホック３とから構成される。
【００１５】
表示シート２は、シート４の両肩部から側方へ向けて、２つの連結片５が延設されてなる。連結片５は、他のシートと互いに回動自在に連結する。なお、連結片５の位置は、シート４の両肩部に限定されるものではなく、例えばシート４の上下に設けてシート４を上下方向に連結できるようにしてもよい。
【００１６】
シート４は、紙製であるが、合成樹脂シート等の他の素材であってもよい。シート４の形状は、図１〜図３に示すように音符形状であるが、図６に示すような国旗、サッカーボールなどのボール形状、雪の結晶形状等、種々の形状を採用可能である。シート４の表面には、筆記具で記入可能であり、「２０％ＯＦＦ」や「ＳＡＬＥ」等の宣伝文句やメッセージ等の所望の語句を記入し、表示することができる。
【００１７】
連結片５は、シート４と一体的に形成される。連結片５は、紙製であるが、合成樹脂シート等の他の素材であってもよい。連結片５の形状は、細幅の帯状に形成されるが、これに限定されるものではない。また、連結片の先端に、ホック３を留めるための穴５ａが形成される。
【００１８】
なお、上記形態においては、シート４と連結片５とを一体的に形成しているが、連結片５をシート４と別部材としてもよい。例えば、図７に示すように、連結片５の基端側の表面に粘着部５ｂを設け、粘着部５ｂによりシート４に貼着し固定できるようにする。連結片５を別部材とすることにより、ポストカードや写真等の様々な身の回り品に連結片５を貼着して表示シート２として使用し、連結して飾ることができる。
【００１９】
ホック３は、着脱自在な雄体３ａと雌体３ｂとからなる留め具である。図４及び図５に示すように、一のシート４から延設する連結片５と、他のシート４から延設する連結片５とを、穴５ａの位置が合致するように重ね合わせ、その穴５ａを通してホック３の雄体３ａと雌体３ｂとを嵌合させる。連結片５の穴５ａの直径は、雄体３ａ及び雌体３ｂの傘部分３ｃ、３ｄの直径よりも小とされ、連結片５は雄体３ａ及び雌体３ｂの傘部分３ｃ、３ｄによって回動自在に挟持される。この構成により、シート４を回動自在に連結することができる。
【００２０】
上記の構成により、本表示装置１は、例えば図２に示すように、表示シート２を回動させ、所望の連結形状に変形させることができる。また、表示シート２を１８０度回動させれば、一の表示シート２を隣りの表示シート２の上又は下に積み重ねることができ、これを繰り返していけば、最終的には全ての表示シート２を積み重ねてコンパクトにすることができる。さらにまた、ホック３が着脱自在であるので、表示シート２の数を増減させたり、表示シート２の位置を入れ替えたり、表示シート２の向きを上下逆に変更させたりすることができる。
【００２１】
このように、本表示装置１は、スーパー等の店内や、電車等の車両内、部屋内などに表示する広告又は装飾のための表示装置として使用でき、表示シート２の数を変更させたり、形状を変更できたりするので、利便性が高い。
【図面の簡単な説明】
【００２２】
【図１】本実施形態の表示装置の正面図
【図２】図１の表示装置を変形させた状態を示す図
【図３】表示シートの正面図
【図４】ホックの斜視図
【図５】連結部分の要部拡大断面図
【図６】他の実施形態の表示装置の正面図
【図７】連結片の変形例を示す図
【符号の説明】
【００２３】
１    表示装置
２    表示シート
３    ホック
３ａ  雄体
３ｂ  雌体
４    シート
５    連結片
５ａ    穴
５ｂ  粘着部
【図１】
0003126973.tif 000003
【図２】
0003126973.tif 000004
【図３】
0003126973.tif 000005
【図４】
0003126973.tif 000006
【図５】
0003126973.tif 000007
【図７】
0003126973.tif 000008
【図６】
0003126973.tif 000009
【手続補正書】
【提出日】平成18年9月20日(2006.9.20)
【手続補正１】
【補正対象書類名】図面
【補正対象項目名】図６
【補正方法】変更
【補正の内容】
【図６】
0003126973.tif 000010